(57)【要約】【課題】  バッテリチャージャーのような高負荷アプリケーションを燃料電池等の高エネルギー密度の電源にて実現する場合、既存の機器に適合可能な大電力を出力可能な構成にすると大型化し、小型化を優先すると機器側を新たに専用仕様にする必要があった。【解決手段】  燃料電池のような高エネルギー密度電源のほかに、電気二重層キャパシタ，Ｎｉ水素電池，ＨＥＶやＥＶ用に使われるＬｉ電池のような高出力密度電源を備え、従来機器にそのまま使うことを可能とする各機能を搭載した電源装置用の制御ＩＣを使用することにより解決する。すなわち、少なくとも２種類の電源と、外部への供給電力端子の通電と遮断が可能なスイッチを備えた電源装置の制御用半導体装置であって、前記スイッチの通電が断続的になるように制御する機能を持つ電源装置制御用半導体装置である。【選択図】図１
2006101669.tif 000002
【特許請求の範囲】
【請求項１】
少なくとも２種類の電源と、外部への供給電力端子の通電と遮断が可能なスイッチを備えた電源装置の制御用半導体装置であって、前記スイッチの通電が断続的になるように制御する機能を持つことを特徴とする電源装置の制御用半導体装置。
【請求項２】
請求項１において、少なくとも１種類の電源電圧を監視し、前記電源電圧が所定の閾値よりも高いことを検出したときに前記スイッチを通電に制御し、前記電源電圧が所定の閾値よりも低いことを検出したときに前記スイッチを遮断に制御する機能を有することを特徴とする電源装置の制御用半導体装置。
【請求項３】
電源のうちの１つが燃料電池である、少なくとも２種類の電源と、外部への供給電力端子の通電と遮断が可能なスイッチを備えた電源装置の制御用半導体装置であって、前記スイッチの通電が断続的になるように制御する機能を持ち、更に前記燃料電池の上限電圧が所定の閾値よりも高くならないようにする過電圧防止機能を搭載したことを特徴とする電源装置の制御用半導体装置。
【請求項４】
燃料電池を含む少なくとも２種類の電源と、外部への供給電力端子の通電と遮断が可能なスイッチを備えた電源装置の制御用半導体装置であって、前記スイッチの通電が断続的になるように制御する機能を持ち、更に前記燃料電池の温度情報を取得し、下限閾値と上限閾値の少なくとも１つの値を制御することにより前記燃料電池の温度上昇を防止する機能を持つことを特徴とする電源装置の制御用半導体装置。
【請求項５】
請求項１、３および４のいずれかにおいて、前記電源装置の出力端から流れる電流値を取得し、或る閾値以上で前記スイッチを遮断する過電流遮断機能を更に備えたことを特徴とする電源装置の制御用半導体装置。
【請求項６】
請求項１、３および４のいずれかにおいて、少なくとも２種類の電源電圧を監視し、一方の電源への電流の逆流を防止する機能を更に備えたことを特徴とする電源装置の制御用半導体装置。
【請求項７】
請求項６において、逆流防止を行う対象が燃料電池であることを特徴とする電源装置の制御用半導体装置。
【請求項８】
請求項６において、逆流防止を行う対象が太陽電池であることを特徴とする電源装置の制御用半導体装置。
【請求項９】
請求項１、３および４のいずれかにおいて、前記電源のうちの少なくとも１種類が電気二重層コンデンサであり、前記電気二重層コンデンサにかかる電圧が或る閾値以上にならないように制御する過電圧防止機能を更に備えたことを特徴とする電源装置の制御用半導体装置。
【請求項１０】
少なくともＬｉ電池と電気二重層コンデンサの２種類の電源と電気二重層コンデンサの充電電流を遮断するスイッチを備えた電源装置の制御用半導体装置であって、前記電気二重層コンデンサの耐圧内の或る電圧閾値を前記Ｌｉ電池の電圧が超えたことにより遮断し、前記Ｌｉ電池の電圧が前記閾値以下であることにより通電する制御機能を備えたことを特徴とする電源装置の制御用半導体装置。
【発明の詳細な説明】
【技術分野】
【０００１】
本発明は、２種類以上の電源を備えた電源装置の制御用半導体装置に関する。
【背景技術】
【０００２】
近年の電子技術の進歩によって、携帯電話機、ノート型パーソナルコンピュータ（以下、ノートＰＣと記す）、オーディオ・ビジュアル機器、モバイル端末機器などの携帯電子機器の普及が急速に進んでいる。これらの携帯電子機器は二次電池によって駆動するシステムであり、新型二次電池の出現、小型軽量化および高エネルギー密度化によって、シール鉛バッテリからＮｉ/Ｃｄ電池、Ｎｉ水素電池、さらにはＬｉイオン電池へと発展してきた。いずれの二次電池においてもエネルギー密度を高めるために、電池活物質の開発や高容量電池構造の開発が行われ、より使用時間の長い電源を実現する努力が払われている。
【０００３】
このように、携帯電子機器は、一層の低消費電力化に向けて努力がなされているが、これとは別にユーザニーズの向上のために新しい機能を追加する必要があるため、携帯機器トータルの消費電力は増加する傾向が予想される。そのため、より高密度の電源、すなわち、連続使用時間の長い電源を必要とする方向に向かうことになる。
【０００４】
連続使用時間の長い電源は二次電池を用いて実現するのが一般的であるが、充電時間の長さが問題である。そのため、充電を必要としない電源の必要性が高まっていて、その解決策として太陽電池や燃料電池が考えられる。燃料電池については改質するなどして水素を燃料として用いるタイプが一般的に知られている。これらが主に８０℃以上を動作温度とするのに対し、室温でも動作する燃料電池には、液体燃料を燃料極において直接酸化するタイプのものがあり、代表的なものにメタノールを直接酸化するタイプの燃料電池(ＤＭＦＣ)がある。主にＤＭＦＣに関しては、温度に関する安全性が高いことから、携帯電子機器用途の機器に適用した例が知られる(例えば特許文献１参照)。太陽電池や燃料電池は連続使用時間の向上が期待されているが、出力密度が小さいため、大出力のアプリケーションへの適用は難しいのが実情である。アプリケーションによっては高出力への対応がより重要であるものもあるが、そのような高出力密度に特化した電源として、電気二重層キャパシタ等のファラッドオーダーのキャパシタが近年注目を集めている。
【０００５】
【特許文献１】特開２００２−３２１５４号公報（要約）
【発明の開示】
【発明が解決しようとする課題】
【０００６】
前述のように、体積エネルギー密度（Ｗｈ/Ｌ）や重量エネルギー密度（Ｗｈ/ｋｇ）の点で高密度化が期待できる燃料電池などの電源は、出力密度の低さが課題である。そのため、高出力が要求されるアプリケーションに燃料電池などの電源を搭載することを想定すると、その大出力を出力可能な大きさに設計せざるを得ず、そのような大きな電源はアプリケーションである携帯機器本体と比較して、サイズも重量も同等程度か、それ以上になる可能性が高い。
【０００７】
現在の携帯電子機器用途において、高出力アプリケーションの一つとして外付けのバッテリチャージャーがある。携帯電子機器用の外付けバッテリチャージャーには通常、対象機器のＡＣアダプタと同等の電力を出力可能な能力が要求されるため、携帯機器の駆動電力と携帯機器が搭載している二次電池の充電電力の合計を出力可能な性能がチャージャーには必要である。しかしながら、燃料電池の出力密度の低さから、携帯機器用の外付けバッテリチャージャーに燃料電池などの電源を適用し、小型・軽量化を実現することは非常に難しい。また、小型・軽量であるが発電面積が小さく、したがって出力電力の小さい燃料電池などの電源を外付けバッテリチャージャーとして使うためには、電力を一定以上は要求しないような専用設計をした新しい電子機器が必要であり、互換性が乏しい。
【０００８】
本発明の目的は、燃料電池などの高エネルギー密度の電源を大型化することなく携帯電子機器の外付けバッテリチャージャーとして使うことを可能にする制御用ＩＣを提供することにある。
【課題を解決するための手段】
【０００９】
本発明では燃料電池のような高エネルギー密度電源のほかに、電気二重層キャパシタ，Ｎｉ水素電池，ＨＥＶやＥＶ用に使われるＬｉ電池のような高出力密度電源を備え、従来の電子機器にそのまま使うことを可能とする互換性の高い電源装置用制御ＩＣを提案する。
【００１０】
本発明は、少なくとも２種類の電源と、外部への供給電力端子の通電と遮断が可能なスイッチを備えた電源装置の制御用半導体装置であって、前記スイッチの通電が断続的になるように制御する機能を持つことを特徴とする電源装置の制御用半導体装置にある。
【発明の効果】
【００１１】
本発明により、電源装置全体での小型・軽量化、低コスト化を実現でき、特別な仕様変更無しで現行の電子機器にそのまま使うことが可能になった。
【発明を実施するための最良の形態】
【００１２】
以下、本発明に係る制御ＩＣの仕様およびその制御方法の詳細について、図を用いて説明する。ただし、以下では８つの実施例を示すが、これらの実施例に限定されるものではなく、また、これらの実施例のいくつかを組み合わせて使用することが可能である。
【実施例１】
【００１３】
第一の実施例について図1を用いて説明する。本実施例では、電池１と電気二重層コンデンサ（ＥＤＬＣ）２の二つの電源を備える。本実施例においては、電池１には、Ｌｉイオン電池などの二次電池、太陽電池或いは燃料電池を使うことを想定する。なお、電池１が燃料電池である場合は、構成の簡略化のために直接メタノール型燃料電池（ＤＭＦＣ）を用いることが望ましい。また、図１においてはＥＤＬＣ２を一直列にして使用しているが、出力のために必要とされる電池１の直列セル数から算出される最大電圧がＥＤＬＣ２の耐圧を超えないセル数で良い。例えば電池１が燃料電池である場合は、燃料電池の単セルの最大電圧(約１．２〜０．８Ｖ)から勘案して、ＥＤＬＣの１セルに対して燃料電池を２〜４セルの範囲に設計することが適当である。
【００１４】
以上の二つの電源を使った回路部分には、二つの電源電圧を一定の出力電圧（Ｖｏｕｔ，ＧＮＤ間電圧）に変換するＤＣ／ＤＣコンバータ５、負荷への供給と遮断を制御する負荷遮断スイッチ４、負荷遮断スイッチ４のＯＮ,ＯＦＦを制御する制御ＩＣ３を備える。ＤＣ／ＤＣコンバータ５は、絶縁型(フォワード，フライバック，プッシュプル等)、チョッパ型の昇圧コンバータを用いる方が、前記二つの電源のセル数を下げる上で効果的であるが、もちろん負荷電圧によっては降圧型コンバータや昇降圧型コンバータを用いても良い。図１において負荷遮断スイッチ４にはＮチャネルパワーＭＯＳ ＦＥＴを用いているが、ＤＣ／ＤＣコンバータ５のＶｏｕｔ側にＰチャネルパワーＭＯＳ ＦＥＴを用いることで実現しても良いし、その他のスイッチング素子を用いても良い。
【００１５】
次に制御ＩＣ３の仕様について以下に述べる。制御ＩＣ３はＥＤＬＣ２の電圧監視用および電源用の端子と負荷遮断スイッチ４の制御端子とＧＮＤ端子の少なくとも３端子を備えたＩＣである。もちろん、電圧監視用端子と電源用端子を分けた４端子の構成にしても良い。内部には上限電圧判定手段と下限電圧判定手段をもち、フリップフロップの出力が負荷遮断スイッチのＯＮ，ＯＦＦに対応する。ＥＤＬＣの電圧が下限電圧に達すると出力スイッチがＯＦＦとなる。このことにより、負荷がほぼ０となり、燃料電池の発電が正常であるならば燃料電池からＥＤＬＣ２への充電が開始され、ＥＤＬＣ２の電圧が上昇する。なお、このときの出力スイッチはＯＦＦのままである。その後、ＥＤＬＣの電圧が上限電圧に達すると出力スイッチがＯＮとなる。このことにより、負荷への電力供給が開始され、燃料電池とＥＤＬＣ２の両方が放電し、負荷が燃料電池の放電量を超えている場合は、ＥＤＬＣ２が不足分を放電するため、ＥＤＬＣ２の電圧が低下する。なお、電圧低下中も負荷遮断スイッチはＯＮのままである。その後、ＥＤＬＣの電圧が下限電圧に達すると出力スイッチがＯＦＦとなり、以後、このサイクルを繰り返す。また、図１０に示すようにＩＣ内部のリファレンス電圧を１．２Ｖなどの共通電圧にし、上限電圧用の端子と下限電圧用の端子を別にして、外付けの分圧抵抗によって上限電圧と下限電圧を設計できるようにして、前記機能を実現するＩＣとしても良い。この構成にした場合は各端子の耐圧を気にすることなく設計することが可能になる。
【００１６】
なお、以上に述べた制御を行ったときの機器への放電電力と電池出力の電力波形を図２に示す。図２に示すように、この制御ＩＣを用いることにより、燃料電池の供給能力以上の電力を負荷に供給することができる。それに加えて、機器への放電時間が数秒以上になるようにＥＤＬＣの容量を設計することで、負荷側から見るとＡＣアダプタの抜き差しに相当する動作であるため、チャタリングを起こすような異常動作の心配もない。また、電池１が燃料電池や太陽電池の場合は、発電面積を小電力設計にすることで小型化することも可能である。なお、電池１が燃料電池である場合は、燃料電池の電力が温度等の条件で定格よりも小さくなった場合でも問題なく動作する。
【実施例２】
【００１７】
本発明の第二の実施例について図３を用いて説明する。本実施例は実施例１に加えて、負荷への供給端子間の短絡などが原因となって過電流が生ずるのを防止する過電流防止機能を加えた構成である。
【００１８】
制御ＩＣ３の仕様について以下に述べる。制御ＩＣ３はＥＤＬＣ２の電圧監視用および電源用の端子、負荷遮断スイッチ４にかかる電圧監視用の端子、負荷遮断スイッチの制御端子、ＧＮＤ端子の少なくとも４端子を備えたＩＣである。もちろん、電圧監視用端子と電源用端子を分けた５端子の構成にしても良い。
【００１９】
ＥＤＬＣ２に基づくサイクル動作は実施例１と変わらない。負荷遮断スイッチ４にかかる電圧が或る閾値以下であるならば、正常状態と判断して実施例１と変わらないサイクル動作が繰り返される。負荷遮断スイッチ４にかかる電圧が或る閾値以上であるならば、過電流状態と判断して負荷遮断スイッチ４が強制的にＯＦＦとなる。過電流状態から正常状態への復帰に関しては、図３に示すように負荷遮断スイッチ４と並列に接続されたコンデンサ成分の一定電圧までの放電で決まる電圧低下時間を利用した待ち時間を設けても良いし、制御ＩＣ３にタイマー機能を設けても良い。
【００２０】
この制御ＩＣを用いることにより、実施例１で述べた利点に加えて、短絡時の保護や最大定格を超える出力の制限をかけることができる。
【実施例３】
【００２１】
本発明の第三の実施例について図４を用いて説明する。本実施例は実施例２に加えて、ＥＤＬＣ２の耐圧を超えないように過電圧防止機能を加えた構成である。図４において、ＥＤＬＣ充電スイッチ６はＰチャネルパワーＭＯＳ ＦＥＴを使用しているため、ＬｏｗでＯＮ，ＨｉｇｈでＯＦＦの仕様となっているが、ＥＤＬＣ２のマイナス側にＮチャネルパワーＭＯＳ ＦＥＴを用いて、ＨｉｇｈでＯＮ，ＬｏｗでＯＦＦの仕様にしても良い。また、過電圧防止機能を加えたことにより、電池１の電圧範囲において、ＥＤＬＣ２の耐圧を超える範囲が存在するような電池１のセル数を選択することも可能になる。
【００２２】
制御ＩＣ３の仕様について以下に述べる。制御ＩＣ３はＥＤＬＣ２の電圧監視用および電源用の端子、負荷遮断スイッチ４にかかる電圧監視用の端子、電池１の電圧監視用の端子、負荷遮断スイッチの制御端子、ＥＤＬＣ充電スイッチ制御端子、ＧＮＤ端子の少なくとも６端子を備えたＩＣである。もちろん、電圧監視用端子と電源用端子を分けた７端子の構成にしても良い。
【００２３】
本実施例において大きく変わる部分は、電池１の電圧がＥＤＬＣ２の耐圧を超える危険性のある電圧値に達したときの制御ＩＣ３の動作である。電池１の電圧値から耐圧を超える危険性ありと判断されたときには、ＥＤＬＣ充電スイッチ６を遮断する。なお、そのときの負荷遮断スイッチはＯＮの状態のままになり、負荷への供給電力は電池１からのみ放電される状態となる。電池１に燃料電池を用いた場合には、この状態にすることで、軽負荷時において燃料利用効率を向上させることができる。
【００２４】
この制御ＩＣを用いることにより、実施例２で述べた利点に加えて、ＥＤＬＣ２に対する安全性が高まるとともに、設定する上限電圧と下限電圧の閾値を上げることができる。特に燃料電池（ＤＭＦＣ）のように無負荷時の電圧が大きく出るような電池との組み合わせに適している。
【実施例４】
【００２５】
本発明の第四の実施例について図５を用いて説明する。本実施例は実施例３に加えて、ＥＤＬＣを１セル以上にした場合に、各セルにかかる電圧バランスが崩れて、どれか1つのセルの耐圧を超えることを防止するセルバランス調整機能を加えた構成である。
【００２６】
制御ＩＣ３の仕様について以下に述べる。制御ＩＣ３はＥＤＬＣ２の電圧監視用および電源用の端子、負荷遮断スイッチ４にかかる電圧監視用の端子、電池１の電圧監視用の端子、負荷遮断スイッチの制御端子、ＥＤＬＣ充電スイッチ制御端子、ＥＤＬＣセル間入力端子、ＧＮＤ端子の少なくとも７端子を備えたＩＣである。もちろん、電圧監視用端子と電源用端子を分けて８端子の構成にしても良い。図５においてはＥＤＬＣが２セルの場合になっているが、もちろん３セルの場合は、ＥＤＬＣセル間入力端子を２端子に増やして機能を追加すればよいし、それ以上のセル数においても同様である。
【００２７】
本実施例において大きく変わる部分は複数セルのＥＤＬＣのセルバランス調整機能である。なお、ＥＤＬＣの一般的な耐圧である２．３Ｖから３．３Ｖ以上の電圧がＥＤＬＣにかからないようにする保護機能であれば良く、図５においては定電圧ダイオードにて実現しているが、同じ値の抵抗にてセルバランスの安定化を実現しても良い。また、シャントレギュレータにて定電圧ダイオードと同様の機能を実現しても良いし、スイッチング素子を使って高くなったセルを放電させることでセルバランスの安定化を実現しても良い。
【００２８】
この制御ＩＣを用いることにより、実施例３で述べた利点に加えて、安全に複数セルのＥＤＬＣ２の構成にすることができる。ノートＰＣ用の充電端子のように１６〜２０ＶへＤＣ／ＤＣコンバータ５にて昇圧しなければならない場合や携帯電話やＰＤＡなどのような内蔵Ｌｉ電池が１セルの充電端子のように５〜５．５ＶへＤＣ／ＤＣコンバータ５にて降圧しなければならない場合の構成に適している。
【実施例５】
【００２９】
本発明の第五の実施例について図６を用いて説明する。本実施例は電池１が燃料電池や太陽電池のように電流の逆流ができない電源であり、実施例３に加えて、ＥＤＬＣ２から電池１への逆流防止機能として逆流防止スイッチ７を加えた構成である。
【００３０】
制御ＩＣ３の仕様について以下に述べる。制御ＩＣ３はＥＤＬＣ２の電圧監視用および電源用の端子、負荷遮断スイッチ４にかかる電圧監視用の端子、電池１の電圧監視用の端子、負荷遮断スイッチの制御端子、ＥＤＬＣ充電スイッチ制御端子、逆流防止スイッチ制御端子、ＧＮＤ端子の少なくとも７端子を備えたＩＣである。もちろん、電圧監視用端子と電源用端子を分けた８端子の構成にしても良い。
【００３１】
この制御ＩＣを用いることにより、電池１が燃料電池や太陽電池のように充電ができない電源である場合において、出力可能な電力が変化した場合などに起こり得る逆流を防止することができる。例えば燃料電池の場合では燃料切れで電圧が０へ向かって減少している場合、太陽電池の場合では光量が減少した場合が考えられ、これらの場合に有効である。
【実施例６】
【００３２】
本発明の第六の実施例について図７を用いて説明する。本実施例は電池１が燃料電池であり、実施例２に加えて、無負荷時に燃料電池が開放電圧（ＯＣＶ）まで上がって寿命が低下することを防ぐために、ある電圧以上とならないようにするＯＣＶカット機能を加えた構成である。
【００３３】
制御ＩＣ３の仕様について以下に述べる。制ＩＣ３はＥＤＬＣ２の電圧監視用および電源用の端子、負荷遮断スイッチ４にかかる電圧監視用の端子、負荷遮断スイッチの制御端子、ＧＮＤ端子の少なくと４端子を備えたＩＣである。もちろん、電圧監視用端子と電源用端子を分けた５端子の構成にしても良い。
【００３４】
なお、本構成においては、例えばＯＣＶカット電圧をＥＤＬＣ２の一般的な耐圧である２．３Ｖから３．３Ｖに設定することで、実施例３に述べたようなＥＤＬＣの過電圧防止機能と兼用させることも可能である。
【００３５】
図７においては定電圧ダイオードにて実現しているが、高抵抗にて実現しても良いし、シャントレギュレータにて定電圧ダイオードと同様の機能を実現しても良いし、スイッチング素子を使って高くなったセルを放電させることでＯＣＶのカット機能を実現しても良い。
【実施例７】
【００３６】
本発明の第七の実施例について図８を用いて説明する。本実施例は電池１が燃料電池であり、実施例６に加えて、燃料電池の温度情報を取得し、温度に応じて下限電圧と上限電圧を変更することにより温度上昇を一定以内に抑える温度制限機能を加えた構成である。
【００３７】
制御ＩＣ３の仕様について以下に述べる。制御ＩＣ３はＥＤＬＣ２の電圧監視用および電源用の端子、負荷遮断スイッチ４にかかる電圧監視用の端子、負荷遮断スイッチの制御端子、温度入力端子、ＧＮＤ端子の少なくとも５端子を備えたＩＣである。もちろん、電圧監視用端子と電源用端子を分けた６端子の構成にしても良い。
【００３８】
図７に示すように、本実施例の制御ＩＣは燃料電池の温度を取得し、温度が４５℃以上のように一定よりも高い場合に下限電圧と上限電圧を上昇させる基準電圧変更のロジックを持つ。もちろん、下限電圧のみを上昇させるだけの機能にしても構わない。燃料電池の発熱は電流量に比例して高くなる傾向があるため、特に下限電圧値を上昇させることで発熱を抑制することができる。温度を取得する手段としては、特に図示していないが、サーミスタや温度センサＩＣなどを用いることで実現すればよい。
【実施例８】
【００３９】
本発明の第八の実施例について図９を用いて説明する。本実施例は実施例４の制御ＩＣを用いて、別用途に転用した場合の実施例である。本実施例は電池１がＬｉイオン電池である。Ｌｉイオン電池の残量は５０％以下の時に高出力での電圧変動が大きくなる傾向があるが、本実施例はＬｉイオン電池の残量低下時の高出力補助機能を加えた構成である。セル構成についてはＬｉイオン電池の単セルが３．７Ｖ以下の電圧範囲でＥＤＬＣの耐電圧が３．３〜２．３Ｖであることを考慮すると、Ｌｉイオン電池が３セルの場合ではＥＤＬＣは４〜５セルの組み合わせ、Ｌｉイオン電池が２セルの場合ではＥＤＬＣは３〜４セルの組み合わせ、Ｌｉイオン電池が１セルの場合ではＥＤＬＣは１〜２セルの組み合わせとなる。
【００４０】
本実施例での各構成について述べる。Ｖ＋とＶ−は電池パックの出力端となる。図９に示すように、出力スイッチ駆動端子は電池パックの過放電を示す信号として使用する構成としても良い。
【００４１】
この制御ＩＣを用いることにより、Ｌｉイオン電池の小残量領域での高出力サポートが可能であり、高出力開始時の電圧変動の緩和やＬｉイオン電池の放電下限電圧まで達する時間の延長が可能である。特にパルス的な高出力が多い、デジタルスチルカメラや携帯電話等のアプリケーションに適している。また、単セルあたり３．７Ｖ以下の低い電圧値からのサポートであるため、Ｌｉイオン電池の全電圧範囲(単セルで４．２〜２．７Ｖ)をサポートする場合と比較して、Ｌｉイオン電池１セルに対するＥＤＬＣ２のセル数をより少なくすることが可能である。
【産業上の利用可能性】
【００４２】
本発明により、燃料電池を大型化することなく携帯電子機器の外付けバッテリチャージャーとして使用することを可能にできた。
【図面の簡単な説明】
【００４３】
【図１】電源装置と制御ＩＣの一例を示す構成図。
【図２】放電電力と電池出力の電力波形を示した図である。
【図３】本発明の第二の実施例を示す構成図。
【図４】本発明の第三の実施例を示す構成図。
【図５】本発明の第四の実施例を示す構成図。
【図６】本発明の第五の実施例を示す構成図。
【図７】本発明の第六の実施例を示す構成図。
【図８】本発明の第七の実施例を示す構成図。
【図９】本発明の第八の実施例を示す構成図。
【図１０】本発明の第一の実施例による別の構成を示す構成図。
【符号の説明】
【００４４】
１…電池、２…電気二重層コンデンサ、３…制御ＩＣ、４…負荷遮断スイッチ、５…ＤＣ／ＤＣコンバータ、６…ＥＤＬＣ充電スイッチ、７…逆流防止スイッチ。
【図１】
2006101669.tif 000003
【図２】
2006101669.tif 000004
【図３】
2006101669.tif 000005
【図４】
2006101669.tif 000006
【図５】
2006101669.tif 000007
【図６】
2006101669.tif 000008
【図７】
2006101669.tif 000009
【図８】
2006101669.tif 000010
【図９】
2006101669.tif 000011
【図１０】
2006101669.tif 000012